【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
データを格納するためにコンピューターで実施される方法であって、
主ネットワーキングサービスによって維持される第１の組のプロファイルデータに関連する前記主ネットワーキングサービスの第１ユーザーを識別するステップであって、前記第１の組のプロファイルデータが、副ネットワークサービスに関係する前記第１ユーザーのユーザー識別子を含むステップと、
前記ユーザー識別子を用いて、前記副ネットワーキングサービスに自動的にアクセスして、前記副ネットワークサービスから、前記第１ユーザーに関連する第２の組のプロファイルデータと、前記第１ユーザーに関連する各連絡先のユーザー識別子と、前記第１ユーザーと各連絡先との間の関係を示す関係データとを取り出すステップと、
前記主ネットワーキングサービスに関連する前記第１の組のプロファイルデータを、前記副ネットワーキングサービスから取り出された前記第２の組のプロファイルデータと統合するステップと、
前記の統合されたプロファイルデータと、前記副ネットワークサービスにおいて前記第１ユーザーに関連する各連絡先のユーザー識別子と、前記副ネットワークサービスから取り出された前記関係データとを、前記主ネットワークサービスによって維持されるデータ記憶装置内に格納するステップと、
を含む方法。
【請求項２】
前記第２の組のプロファイルデータが、１つ又は複数の前記データ記憶装置と通信する走査ユニット機構によって取り出される、請求項１に記載のコンピューター実施方法。
【請求項３】
格納する前記ステップが、
前記副ネットワークサービスにおける各連絡先が前記主ネットワークサービスにプロファイルを有するかどうかを決定するステップ、
前記副ネットワークサービスにおける連絡先が前記主ネットワークサービスにプロファイルを有する場合、前記主ネットワークサービスに関連する当該連絡先のユーザー識別子を格納するステップと、
前記副ネットワークサービスにおける連絡先が前記主ネットワークサービスにプロファイルを有しない場合、前記副ネットワークサービスに関連する当該連絡先のユーザー識別子を格納するステップと
を含む、請求項１に記載のコンピューター実施方法。
【請求項４】
格納する前記ステップが、前記の統合されたデータをユーザープロファイルテーブルに格納するステップを含む、請求項１に記載のコンピューター実施方法。
【請求項５】
格納する前記ステップが、前記主ネットワーキングサービスに関するユーザー識別情報と、前記副ネットワーキングサービスに関連するプロファイル関係データとをユーザー関係テーブルに格納するステップを含む、請求項１に記載のコンピューター実施方法。
【請求項６】
第１ユーザーに、該第１ユーザーがアカウントを維持する各副ネットワークサービスのユーザー識別子を指示することを許容するよう構成されたインターフェースを提供するステップと、
前記主ネットワークサービスによって維持されたデータ記憶装置に、前記インターフェースを介して前記ユーザーによって提供された情報を格納するステップと
を更に含む、請求項１に記載のコンピューター実施方法。
【請求項７】
アクセスして取り出す前記ステップが、
前記第１の組のプロファイルデータから前記第１ユーザーのユーザー識別子を取得するステップと、
前記副ネットワークサービスが事前定義されたネットワークサービスであることを識別するステップと、
構成ファイルから、前記副ネットワークサービスに関連するプロファイルＵＲＬを取り出すステップと、
前記ユーザー識別子と前記プロファイルＵＲＬとを用いて、前記副ネットワークサービスとの接続を確立するステップと
を含む、請求項１に記載のコンピューター実施方法。
【請求項８】
前記副ネットワークサービスの前記第２の組のプロファイルデータと、前記副ネットワークサービスに関連する前記第１ユーザーのユーザー識別子との位置情報を決定するステップと、
前記位置情報を用いて、前記副ネットワークサービスの前記第２の組のプロファイルデータにアクセスするステップと、
を含む、請求項１に記載のコンピューター実施方法。
【請求項９】
位置情報を求める前記ステップが、前記ユーザー識別子に基づいてＵＲＬを求めるステップを含む請求項４に記載のコンピューターで実施される方法。
【請求項１０】
位置方法を決定する前記ステップが、前記主ネットワークサービスによってアクセス可能な構成ファイルに含まれる前記ユーザー識別子とＵＲＬデータとから前記維持情報を決定するステップを含む、請求項１に記載のコンピューター実施方法。
【請求項１１】
プロセッサー可読コードが具体化された１つ又は複数のプロセッサー可読記憶装置であって、前記プロセッサー可読コードが、
少なくとも１つの副ネットワークサービスから、第１ユーザーに関連するユーザープロファイルデータと、前記副ネットワークサービスにおける前記第１ユーザーの各連絡先のユーザー識別子と、前記第１ユーザーと各連絡先との間のユーザー関係データとをインポートするステップと、
前記のインポートされたユーザープロファイルデータ、各連絡先のユーザー識別子及びユーザー関係データを、前記主ネットワークサービスのデータ記憶装置に格納されている既存のユーザープロファイルデータ、各連絡先のユーザー識別子及びユーザー関係データと統合するステップと、
前記の統合されたプロファイルデータ、ユーザー識別子及びユーザー関係データを前記データ記憶装置に格納するステップと、
前記第１ユーザーに関連し且つプロファイルパラメーター及び関係分離パラメーターと合致する１つ又は複数のユーザープロファイルに対する要求をクライアントから受信するステップと、
問い合わせに含まれるプロファイルパラメーター及び関係分離パラメーターと合致する、要求された１つ又は複数のプロファイルについてデータ記憶装置を照会するステップと、
前記データ記憶装置から、合致する前記１つ又は複数のユーザープロファイルを受信するステップと、
合致する前記１つ又は複数のユーザープロファイルを前記クライアントに提供するステップと
を含む方法を実施するように前記記憶媒体をプログラムするためのものであるプロセッサー可読記憶装置。
【請求項１２】
データ記憶装置を照会する前記ステップが、前記１つ又は複数の副ネットワーキングサービスを介しての前記主ネットワーキングサービスのユーザー間の関係データを含むユーザー関係テーブルにアクセスするステップを含む、請求項１１に記載のプロセッサー可読記憶装置。
【請求項１３】
前記関係分離パラメーターが、前記第１ユーザーと該第１ユーザーに関連する連絡先との間の許容される分離度を示す、請求項１１に記載のプロセッサー可読記憶装置。
【請求項１４】
前記関係分離パラメーターが、
前記主ネットワークサービスにおける第１ユーザーと第２ユーザーとの間の第１信頼関係と、
前記副ネットワークサービスにおける第２ユーザーと第３ユーザーとの間の第２信頼関係と、
前記第１ユーザーと前記第３ユーザーとの間に２の分離度で存在する関係と、
を示す、請求項１１に記載のプロセッサー可読記憶装置。
【請求項１５】
データにアクセスするためにコンピューターで実施される方法であって、
主ネットワーキングサービスによって維持される第１の組のプロファイルデータに関連する前記主ネットワーキングサービスの第１ユーザーを選択するステップであって、前記第１の組のプロファイルデータが、前記第１ユーザーの第２の組のプロファイルデータを格納する副ネットワークサービスに関連する前記第１ユーザーのユーザー識別子と、前記副ネットワークサービスにおいて前記第１ユーザーと関連する連絡先のユーザープロファイルとを含むステップと、
前記ユーザー識別子を用いて、前記副ネットワーキングサービスから、前記第１ユーザーに関連する前記第２の組のプロファイルデータと各連絡先のユーザー識別子とを取り出すステップであって、取り出された前記第２の組のプロファイルデータが、前記第１ユーザーを該第１ユーザーに関連する各連絡先にリンクする関係データを含むステップと、
前記主ネットワークサービスに関連する１つ又は複数のデータ記憶装置に、前記第２の組のプロファイルデータを格納するステップと、
前記第１ユーザーに関連する１つ又は複数のユーザープロファイルを求める要求を受信するステップであって、前記要求が関係分離パラメーターを含むステップと、
前記関係分離パラメーターに合致し、且つ１つ又は複数の前記データ記憶装置に格納されたユーザープロファイルを選択するステップと、
前記選択されたユーザープロファイルをクライアントに提供するステップと
を含む方法。
【請求項１６】
前記第２の組のプロファイルデータを取り出す前記ステップが、
前記副ネットワークサービスに関連するＵＲＬを、構成ファイルから取り出すステップと、
前記構成ファイルから取り出された前記ＵＲＬと前記第１の組のプロファイルデータにおけるユーザー識別子とを用いて、前記副ネットワークサービスとの接続を確立するステップと、
を含む、請求項１５に記載の方法。